(57)【特許請求の範囲】
【請求項１】
ＡＶコンテンツを出力するＡＶ装置であって、
複数のキーを備えた入力部と、
前記キーの操作に応じて、当該操作されたキーに応じて定まる処理を、当該処理が実行可能回数の制限がある処理であるときには当該処理の実行可能回数の残数が１以上である場合に、実行する処理実行部と、
前記複数のキーの各々を、当該キーに対して装飾色として設定された色で装飾するキー装飾部と、
前記各キーに対して、前記装飾色を設定するキー装飾制御部とを有し、
前記キー装飾制御部は、前記キーに応じて定まる処理が実行可能回数の制限がある処理であるキーに対して前記装飾色として、当該処理の実行可能回数の残数が所定数超である場合には第１の色を、当該残数が０超かつ前記所定数以下である場合には前記第１の色と異なる第２の色を、当該残数が０である場合には前記第１の色及び第２の色と異なる第３の色を設定することを特徴とするＡＶ装置。
【請求項２】
請求項１記載のＡＶ装置であって、
前記複数のキーは、表示装置に表示されるソフトウエアキーであり、
前記キー装飾部は、前記複数のキーの各々を、当該キーに対して装飾色として設定された色で表示することにより前記装飾を行うことを特徴とするＡＶ装置。
【請求項３】
請求項１記載のＡＶ装置であって、
前記複数のキーは、ハードウエアキーであり、
前記キー装飾部は、前記複数のキーの各々を、当該キーに対して装飾色として設定された色で照明することにより前記装飾を行うことを特徴とするＡＶ装置。
【請求項４】
請求項１記載のＡＶ装置であって、
前記第２の色は黄色、前記第３の色は赤色であることを特徴とするＡＶ装置。
【請求項５】
請求項１記載のＡＶ装置であって、
前記実行可能回数の制限がある処理とは、インターネットラジオから配信を受けるＡＶコンテンツを切り替えるスキップ処理であることを特徴とするＡＶ装置。
【請求項６】
請求項１記載のＡＶ装置であって、
前記実行可能回数の制限がある処理とは、再生可能回数の制限があるＡＶコンテンツを再生する処理であり、
当該処理の実行可能回数の残数は、当該再生可能回数の制限があるＡＶコンテンツの再生可能回数の残数であることを特徴とするＡＶ装置。
【請求項７】
請求項１記載のＡＶ装置であって、
前記実行可能回数の制限がある処理とは、コピー可能回数の制限があるＡＶコンテンツを再生する処理であり、
当該処理の実行可能回数の残数は、当該コピー可能回数の制限があるＡＶコンテンツのコピー可能回数の残数であることを特徴とするＡＶ装置。
【請求項８】
コンピュータによって読み取られ実行されるコンピュータプログラムであって、
当該コンピュータプログラムは、前記コンピュータを、ＡＶコンテンツを出力するＡＶ装置として機能させ、
当該ＡＶ装置は、
複数のキーを備えた入力部と、
前記キーの操作に応じて、当該操作されたキーに応じて定まる処理を、当該処理が実行可能回数の制限がある処理であるときには当該処理の実行可能回数の残数が１以上である場合に、実行する処理実行部と、
前記複数のキーの各々を、当該キーに対して装飾色として設定された色で装飾するキー装飾部と、
前記各キーに対して、前記装飾色を設定するキー装飾制御部とを有し、
前記キー装飾制御部は、前記キーに応じて定まる処理が実行可能回数の制限がある処理であるキーに対して前記装飾色として、当該処理の実行可能回数の残数が所定数超である場合には第１の色を、当該残数が０超かつ前記所定数以下である場合には前記第１の色と異なる第２の色を、当該残数が０である場合には前記第１の色及び第２の色と異なる第３の色を設定することを特徴とするコンピュータプログラム。
【請求項９】
請求項８記載のコンピュータプログラムであって、
前記複数のキーは、表示装置に表示されるソフトウエアキーであり、
前記キー装飾部は、前記複数のキーの各々を、当該キーに対して装飾色として設定された色で表示することにより前記装飾を行うことを特徴とするコンピュータプログラム。
【請求項１０】
請求項８記載のコンピュータプログラムであって、
前記複数のキーは、ハードウエアキーであり、
前記キー装飾部は、前記複数のキーの各々を、当該キーの照明の色を、装飾色として設定された色に制御することにより前記装飾を行うことを特徴とするコンピュータプログラム。
【請求項１１】
請求項８記載のコンピュータプログラムであって、
前記実行可能回数の制限がある処理とは、インターネットラジオから配信を受けるＡＶコンテンツを切り替えるスキップ処理であることを特徴とするコンピュータプログラム。
【請求項１２】
請求項８記載のコンピュータプログラムであって、
前記実行可能回数の制限がある処理とは、再生可能回数の制限があるＡＶコンテンツを再生する処理であり、
当該処理の実行可能回数の残数は、当該再生可能回数の制限があるＡＶコンテンツの再生可能回数の残数であることを特徴とするコンピュータプログラム。
【請求項１３】
請求項８記載のコンピュータプログラムであって、
前記実行可能回数の制限がある処理とは、コピー可能回数の制限があるＡＶコンテンツを再生する処理であり、
当該処理の実行可能回数の残数は、当該コピー可能回数の制限があるＡＶコンテンツのコピー可能回数の残数であることを特徴とするコンピュータプログラム。
【発明の詳細な説明】
【技術分野】
【０００１】
本発明は、ＡＶコンテンツを出力するＡＶ装置において、ユーザインタフェースを制御する技術に関するものである。
【背景技術】
【０００２】
ＡＶコンテンツを出力するＡＶ装置において、ユーザインタフェースを制御する技術としては、再生可能回数に制限のあるＡＶコンテンツを再生する再生装置において、ＡＶコンテンツの再生が指示されたときに、当該ＡＶコンテンツの再生可能回数が残っている場合には、当該ＡＶコンテンツの再生を行うと共に、当該ＡＶコンテンツの残再生可能回数を数値やグラフで表示する技術が知られている（たとえば、特許文献１）。
【先行技術文献】
【特許文献】
【０００３】
【特許文献１】特開２００１-０５６７８４号公報
【発明の概要】
【発明が解決しようとする課題】
【０００４】
上記したＡＶコンテンツの再生時に当該ＡＶコンテンツの残再生可能回数を表示する技術によれば、残再生可能回数を数値やグラフで表示するための専用の表示スペースが必要となるが、車載のＡＶ装置などの、比較的小型の表示装置しか備えていないＡＶ装置では、そのような専用の表示スペースを確保することが困難な場合がある。
【０００５】
また、この技術によれば、ＡＶコンテンツの再生時に残再生可能回数を表示するため、ユーザは、ＡＶコンテンツの残再生可能回数を減ずることになる当該ＡＶコンテンツの再生を行うことなく、当該ＡＶコンテンツの残再生可能回数を知ることができない。
【０００６】
そこで、本発明は、ＡＶ装置において、専用の表示スペースを必要とすることなしに、ＡＶコンテンツに関する処理の実行可能回数に関する制限の状態を、当該実行可能回数を減ずることなくユーザに提示することを課題とする。
【課題を解決するための手段】
【０００７】
前記課題達成のために、本発明は、ＡＶコンテンツを出力するＡＶ装置に、複数のキーを備えた入力部と、前記キーの操作に応じて、当該操作されたキーに応じて定まる処理を、当該処理が実行可能回数の制限がある処理であるときには当該処理の実行可能回数の残数が１以上である場合に、実行する処理実行部と、前記複数のキーの各々を、当該キーに対して装飾色として設定された色で装飾するキー装飾部と、前記各キーに対して、前記装飾色を設定するキー装飾制御部とを備え、前記キー装飾制御部において、前記キーに応じて定まる処理が実行可能回数の制限がある処理であるキーに対して前記装飾色として設定する色を、当該処理の実行可能回数の残数が１以上の整数である所定数以下である場合と、当該処理の実行可能回数の残数が前記所定数超である場合とで異ならせるようにしたものである。
【０００８】
ここで色が異なるとは、輝度、彩度、色相のいずれかが異なることを言う。
このようなＡＶ装置によれば、キーを装飾する装飾色で、当該キーの操作に応じて（実行可能回数の残数がある場合に）実行される処理の実行可能回数の残数が所定数以下となっていることをユーザに示せるので、キー以外の専用の表示スペースを必要とすることなしに、当該処理の実行可能回数の現在の制限の状態をユーザに提示するができる。また、キーの操作に応じて実行される処理の実行前においても、キーに割り当てられた処理の実行可能回数の残数が所定レベル以上に残り少なくなっていることをユーザに示せるので、当該実行可能回数の現在の制限の状態を、当該実行可能回数を減ずることなくユーザに提示することができる。
【０００９】
ここで、このようなＡＶ装置において、前記複数のキーは、表示装置に表示されるソフトウエアキーとしても良く、この場合は、前記キー装飾部は、たとえば、前記複数のキーの各々を、当該キーに対して装飾色として設定された色で表示するものとする。
または、前記複数のキーは、ハードウエアキーとしても良く、この場合、前記キー装飾部は、たとえば、前記複数のキーの各々を、当該キーに対して装飾色として設定された色で照明するものとする。
ここで、以上のようなＡＶ装置は、前記キー装飾制御部において、前記キーに応じて定まる処理が実行可能回数の制限がある処理であるキーに対して前記装飾色として設定する色として、当該処理の実行可能回数の残数が前記所定数超である場合には第１の色を、当該残数が０超かつ前記所定数以下である場合には前記第１の色と異なる第２の色を、当該残数が０である場合には前記第１の色及び第２の色と異なる第３の色を設定するようにしてもよい。また、この場合に、前記第２の色は黄色、前記第３の色は赤色とすることも好ましい。
【００１０】
また、以上のようなＡＶ装置において、前記実行可能回数の制限がある処理は、たとえば、インターネットラジオから配信を受けるＡＶコンテンツを切り替えるスキップ処理とするようにしてもよい。
または、前記実行可能回数の制限がある処理は、再生可能回数の制限があるＡＶコンテンツを再生する処理としても良く、この場合、当該処理の実行可能回数の残数は、当該再生可能回数の制限があるＡＶコンテンツの再生可能回数の残数とする。
【００１１】
または、前記実行可能回数の制限がある処理は、コピー可能回数の制限があるＡＶコンテンツを再生する処理としてもよく、この場合、当該処理の実行可能回数の残数は、当該コピー可能回数の制限があるＡＶコンテンツのコピー可能回数の残数とする。
【発明の効果】
【００１２】
以上のように、本発明によれば、ＡＶ装置において、専用の表示スペースを必要とすることなしに、ＡＶコンテンツに関する処理の実行可能回数に関する制限の状態を、当該実行可能回数を減ずることなくユーザに提示することができる。
【図面の簡単な説明】
【００１３】
【図１】本発明の実施形態に係るＡＶ装置の構成を示す図である。
【図２】本発明の実施形態に係る操作パネルを表す図である。
【図３】本発明の実施形態に係るＡＶ装置が備えるテーブルを示す図である。
【図４】本発明の実施形態に係るキー表示制御処理を示すフローチャートである。
【図５】本発明の実施形態に係るＡＶ装置の表示画面を表す図である。
【発明を実施するための形態】
【００１４】
以下、本発明の実施形態について説明する。
図１に、本実施形態に係るＡＶ装置の構成を示す。
図示するように、ＡＶ装置１は、ラジオ放送を受信するチューナ１０１、記憶装置１０２、外部装置インタフェース１０３、ＡＶデコーダ１０４、制御部１０５、出力制御部１０６、表示装置１０７、スピーカ１０８、入力装置１０９、イルミネータ１１０とを備えている。
【００１５】
但し、以上のＡＶ装置１は、ハードウエア的には、ＣＰＵや、メモリや、その他の周辺デバイスを有する一般的な構成を備えたコンピュータを利用して構成されるものであって良く、この場合、以上のＡＶ装置１のＡＶデコーダ１０４や制御部１０５など、ＣＰＵが記憶装置１０２に予め用意されたプログラムを実行することにより実現されるものであって良い。
【００１６】
さて、ここで、外部装置インタフェース１０３には、携帯装置２を接続することができる。ここで、携帯装置２は、移動電話網やインターネットなどのＷＡＮ３を介して、ＡＶコンテンツのダウンロードサービスを提供するＡＶコンテンツサーバ４や、ＡＶコンテンツのストリーミング配信を行うインターネットラジオサーバ５などにアクセス可能な、移動電話機やスマートフォンなどである。
【００１７】
さて、このようなＡＶ装置１の構成において、制御部１０５は、様々なアプリケーションを実行する。この制御部１０５のアプリケーションの実行は、たとえば、記憶装置１０２に記憶されているアプリケーションプログラムを、制御部１０５において実行することにより実現される。
【００１８】
ここで、制御部１０５が実行するアプリケーションとしては、チューナ１０１を入力装置１０９の操作に応じて制御してチューナ１０１で受信したＡＶコンテンツをＡＶデコーダ１０４でデコードして出力制御部１０６を介して表示装置１０７やスピーカ１０８に出力するラジオアプリケーションや、携帯装置２を介してＡＶコンテンツサーバ４からオーディオやビデオなどのＡＶコンテンツの記憶装置１０２へのダウンロードを行うダウンロードクライアントアプリケーションや、記憶装置１０２に記憶されているＡＶコンテンツをＡＶデコーダ１０４でデコードして出力制御部１０６を介して表示装置１０７やスピーカ１０８に出力したり、記憶装置１０２に記憶されているＡＶコンテンツの携帯装置２へのコピーを行うメディアプレイヤアプリケーションや、携帯装置２を介してインターネットラジオサーバ５にアクセスしてインターネットラジオサーバ５からストリーミング配信されるＡＶコンテンツをＡＶデコーダ１０４でデコードして出力制御部１０６を介して表示装置１０７やスピーカ１０８に出力する再生出力するインターネットラジオアプリケーションなどがある。
【００１９】
次に、ＡＶ装置１の表示装置１０７と入力装置１０９とイルミネータ１１０とより形成されるユーザインタフェースについて説明する。
図２ａ１にＡＶ装置１の操作パネルのようすを示す。
図示するように、ＡＶ装置１の操作パネルには、表示装置１０７の表示面７１が配置される。また、入力装置１０９は、操作パネルに配置されるハードウエアによるキー（ハードウエアキー）として、後方スキップキー９１、前方スキップキー９２、電源のオン/オフ操作を受け付ける電源キー９３、バンドキー９４、再生/一時停止キー９５、複数のファンクションキー９６、ロータリキー９７とを備えている。また、イルミネータ１１０は、入力装置１０９の装飾照明を行うバックライト装置であり、入力装置１０９の以上の各キー毎に設けられた多色の照明器を備えている。そして、イルミネータ１１０は、入力装置１０９の各キーをキー毎に異なる色で照明することができる。
【００２０】
ここで、電源キー９３を除く入力装置１０９の各キーで受け付ける操作、すなわち、キーの操作に応じてＡＶ装置１が行う動作は、実行中のアプリケーションや、アプリケーションの実行状態に応じて、当該アプリケーションによって設定される。
次に、本実施形態において、ＡＶ装置１の記憶装置１０２に格納する操作制限キーテーブルと、コンテンツ毎操作制限管理テーブルについて説明する。
図３ａに示すように、操作制限キーテーブルには、入力装置１０９のキーとアプリケーションとの組み合わせ毎に対応して、対応するアプリケーション実行中に対応するキーの操作発生時にＡＶ装置１が行う処理と、当該処理の実行可能回数の制限の内容を表す制限条件と、当該処理の残実行可能回数とが登録される。
【００２１】
ただし、対応するアプリケーション実行中に対応するキーの操作発生時にＡＶ装置１が行う処理の実行可能回数の制限が当該処理の対象となるＡＶコンテンツに依存する場合には、制限条件には、ＡＶコンテンツに依存する旨が登録される。
一方、対応するアプリケーション実行中に対応するキーの操作発生時にＡＶ装置１が行う処理の実行可能回数の制限が当該処理の対象となるＡＶコンテンツに依存しない場合には、制限条件には、実行可能回数の制限を表す実行可能回数制限値をどのように設定するかが登録される。
【００２２】
なお、操作制限キーテーブルの残実行可能回数以外の値は、各アプリケーションの仕様に応じて予め設定される。また、制限条件に実行可能回数制限値をどのように設定するかが登録されているキーとアプリケーションとの組み合わせに対応する残実行可能回数には、制限条件に応じて残実行可能回数の初期値を登録する。すなわち、たとえば、制限条件にアプリケーションの起動時に実行可能回数制限値ｎを設定することが登録されている場合には、対応するアプリケーションの起動時に、残実行可能回数に初期値としてｎを登録し、制限条件に実行可能回数制限値ｎを固定的に設定することが登録されている場合には、対応するキーと対応するアプリケーションとの組み合わせの登録時、または、対応するアプリケーションの初回起動時に初期値としてｎを登録する。
【００２３】
そして、制御部１０５が実行する各アプリケーションは、各キーの操作に応じた処理を、その仕様に従った実行可能回数制限値を超えて実行しないように制限する。
さて、制御部１０５は、このような操作制限キーテーブルの残実行可能回数を以下のように更新する処理を行う。
すなわち、ユーザの入力装置１０９のキーの操作に応じた処理の実行が発生すると、実行中のアプリケーションと操作されたキーの組み合わせに対応して、操作制限キーテーブルに残実行可能回数が登録されているかどうかを調べ、登録されている場合には、当該登録されている実行中のアプリケーションと操作されたキーの組み合わせに対応する残実行可能回数を１減じる。
【００２４】
次に、図３ｂに示すように、コンテンツ毎操作制限管理テーブルには、記憶装置１０２に記憶されているＡＶコンテンツとＡＶコンテンツに対する処理の組み合わせ毎に対応して、対応するＡＶコンテンツに対する対応する処理を実行可能な回数を示す実行可能回数制限値と、対応するＡＶコンテンツに対する対応する処理の残実行可能回数が登録される。
【００２５】
なお、コンテンツ毎操作制限管理テーブルの残実行可能回数以外の値は、対応するＡＶコンテンツを記憶装置１０２に記録する際に、当該ＡＶコンテンツのライセンス条件に応じて予め設定される。また、実行可能回数制限値が登録されているＡＶコンテンツと処理との組み合わせに対応する残実行可能回数には、初期値として実行可能回数制限値と同じ値が登録される。
【００２６】
そして、制御部１０５が実行する各アプリケーションは、記憶装置１０２に記憶されているＡＶコンテンツに対する各処理の実行回数が、ＡＶコンテンツのライセンス条件に従った実行可能回数制限値を超えないように制限する。
さて、制御部１０５は、このようなコンテンツ毎操作制限管理テーブルの残実行可能回数を以下のように更新する処理を行う。
すなわち、ＡＶコンテンツに対する処理が実行されると、処理が実行されたＡＶコンテンツと実行した処理との組み合わせに対応して残実行可能回数がコンテンツ毎操作制限管理テーブルに登録されているかどうかを調べ、登録されている場合には、当該登録されている、処理が実行されたＡＶコンテンツと実行した処理との組み合わせに対応する残実行可能回数を１減じる。
【００２７】
次に、このようなＡＶ装置１において制御部１０５が行うキー表示制御処理について説明する。
図４に、このキー表示制御処理の手順を示す。
図示するように、この処理では、ＡＶ装置１の、いずれかのキーについて、当該キーの操作に応じて行う処理の内容や処理対象の変化の発生を監視する（ステップ４０２）。
そして、当該変化が発生したならば、入力装置１０９の各キーについて（ステップ４０４、４１８、４２０）、以下の処理を行う。
すなわち、まず、当該キーに対応する処理の残操作可能回数を算出する（ステップ４０６）。
ここで、この残操作可能回数は、以下のように算出する。
すなわち、操作制限キーテーブルに、当該キーと実行中のアプリケーションとの組み合わせに対応して残実行可能回数が登録されている場合には、当該残実行可能回数を、残操作可能回数として取得する。
また、操作制限キーテーブルに、当該キーと実行中のアプリケーションとの組み合わせに対応して制御条件に、ＡＶコンテンツに依存する旨が登録されている場合には、操作制限キーテーブルに、当該キーと実行中のアプリケーションとの組み合わせに対応して登録されている処理を識別する。そして、現在当該キーが操作された場合に当該識別した処理の処理対象となるＡＶコンテンツと当該識別した処理の組み合わせに対応して、コンテンツ毎操作制限管理テーブルに残実行可能回数が登録されている場合には、当該残実行可能回数を、残操作可能回数として取得する。
【００２８】
一方、他の場合には、残実行可能回数を無制限とする。
そして、算出した残実行可能回数が０であれば（ステップ４０８）、イルミネータ１１０を制御し、当該キーの照明色を予め定めた操作禁止表示色（たとえば、赤）に設定する（ステップ４１４）。
また、算出した残実行可能回数がしきい値Ｔｈ（たとえば４）未満であれば（ステップ４１０）、イルミネータ１１０を制御し、当該キーの照明色を予め定めた残回数注意表示色（たとえば、黄）に設定する（ステップ４１６）。
そして、他の場合（残実行可能回数がしきい値Ｔｈ以上である場合と、残操作可能回数が無制限である場合）には、イルミネータ１１０を制御し、当該キーの照明色を予め定めた標準色（たとえば、青）に設定する（ステップ４１２）。
そして、入力装置１０９の各キーについてステップ４０６-４１６の処理を完了したならば、ステップ４０２の監視に戻る。
ここで上述した標準色と残回数注意表示色と操作禁止表示色とは、以上で例示したように青黄赤としてもよいが、他の色としても良い。ただし、標準色と残回数注意表示色と操作禁止表示色は相互に異なる色とする。なお、色が異なるとは、輝度、彩度、色相のいずれかが異なることを言う。
【００２９】
以上、キー表示制御処理について説明した。
以下、このようなキー表示制御処理の処理例を示す。
いま、制御部１０５の実行中のアプリケーションがインターネットラジオであり、インターネットラジオアプリケーションが、入力装置１０９の前方スキップキー９２の操作があったときに行う処理が、インターネットラジオサーバ５からストリーミング配信を受けるＡＶコンテンツをスキップする（ストリーミング配信を受けるＡＶコンテンツを次ＡＶコンテンツへ切り替える）ものであり、当該スキップの実行可能回数が、インターネットラジオサーバ５またはインターネットラジオアプリケーションの仕様により、インターネットラジオアプリケーションを起動してインターネットラジオサーバ５と接続してからインターネットラジオサーバ５と切断するまでの期間中、最大６回までに制限されているものとする。
【００３０】
この場合、図３に示すように、操作制限キーテーブルには、前方スキップキー９２とインターネットラジオアプリケーションとの組み合わせに対応する制限条件には「アプリケーション起動毎に６回」が登録され、残実行可能回数には、インターネットラジオアプリケーションの起動時に６が登録される。
【００３１】
そして、ユーザが前方スキップキー９２を操作して、インターネットラジオサーバ５からストリーミング配信を受けるＡＶコンテンツをスキップする度に、残実行可能回数が１ずつ減じられていく。
そして、上述したしきい値Ｔｈを４とすれば、残実行可能回数が６-４の間は、入力装置１０９の前方スキップキー９２は図２ａ１のように標準色で照明される。一方、残実行可能回数が３-１の間は前方スキップキー９２は図２ａ２のように残回数注意表示色で照明され、ユーザに対して前方スキップキー９２によるスキップを行える回数が少ないことが提示される。また、残実行可能回数が０となったならば、前方スキップキー９２は図２ａ３のように操作禁止表示色で照明され、ユーザに対して前方スキップキー９２によるスキップは行えないことが提示される。
【００３２】
次に、実行中のアプリケーションがメディアプレイヤであり、メディアプレイヤアプリケーションが、入力装置１０９の再生/一時停止キー９５の操作があったときに、図２ｂ１のように、表示装置１０７の表示面７１にスクロール表示される記憶装置１０２に記憶されているＡＶコンテンツの一覧上で選択されているＡＶコンテンツ（図示するようにＡＶコンテンツ「AAAA」とする）の再生を開始する処理を行うものであり、当該再生開始の実行可能回数が、当該ＡＶコンテンツ「AAAA」のライセンス条件により最大５回までに制限されているものとする。
【００３３】
この場合、図３に示すように、操作制限キーテーブルには、再生/一時停止キー９５とイメディアアプリケーションとの組み合わせに対応する制限条件にはＡＶコンテンツに依存する旨が登録される。一方、コンテンツ毎操作制限管理テーブルには、ＡＶコンテンツ「AAAA」と「再生開始」処理との組み合わせに対応して実行可能回数制限値５が登録され、ＡＶコンテンツ「AAAA」と「再生開始」処理との組み合わせに対応する残実行可能回数には、ＡＶコンテンツ「AAAA」の記録時に５が登録される。
【００３４】
そして、ユーザがＡＶコンテンツ「AAAA」を選択し再生/一時停止キー９５を操作して、ＡＶコンテンツ「AAAA」の再生を開始する度に、コンテンツ毎操作制限管理テーブルに登録されている、ＡＶコンテンツ「AAAA」と「再生開始」処理との組み合わせに対応する残実行可能回数が１ずつ減じられていく。
【００３５】
そして、上述したしきい値Ｔｈを４とすれば、ＡＶコンテンツ「AAAA」と「再生開始」処理との組み合わせに対応する残実行可能回数が５-４の間は、入力装置１０９の再生/一時停止キー９５は図２ｂ１のように標準色で照明される。一方、残実行可能回数が３-１の間は再生/一時停止キー９５は図２ｂ２のように残回数注意表示色で照明され、ユーザに対して再生/一時停止キー９５よるＡＶコンテンツ「AAAA」の再生を行える回数が少ないことが提示される。また、残実行可能回数が０となったならば、再生/一時停止キー９５は図２ｂ３のように操作禁止表示色で照明され、ユーザに対して再生/一時停止キー９５よるＡＶコンテンツ「AAAA」の再生は行えないことが提示される。
【００３６】
以上、本発明の実施形態について説明した。
ところで、以上では、ユーザの操作受付に入力装置１０９のハードウエアによるキー（ハードウエアキー）を用いる場合について説明したが、本実施形態はユーザの操作受付にソフトウエアキーを用いる場合についても同様に適用することができる。
すなわち、たとえば、図５ａ１に示すように、表示装置１０７の表示面７１上にソフトウエアキーとして前方スキップキー９２や再生/一時停止キー９５を設けて、インターネットラジオアプリケーションのＧＵＩを構成する場合には、ソフトウエアキーとして設けた前方スキップキー９２の表示色を、操作制限キーテーブルの前方スキップキー９２とインターネットラジオアプリケーションとの組み合わせに対応する残実行可能回数に応じて、図５ａ１-ａ３のように制御するようにすれば良い。
【００３７】
なお、上述したしきい値Ｔｈが４であるものとして、図５ａ１は、残実行可能回数が４以上であり前方スキップキー９２が標準色で表示されているようすを、図５ａ２は残実行可能回数が３-１であり前方スキップキー９２が残回数注意表示色で表示されているようすを、図５ａ３は残実行可能回数が０であり前方スキップキー９２が操作禁止表示色で表示されているようすを表している。
【００３８】
または、たとえば、図５ｂ１に示すように、表示装置１０７の表示面７１上にソフトウエアキーとして再生/一時停止キー９５やコピーキー５０１を設けて、メディアプレイヤアプリケーションのＧＵＩを構成し、記憶装置１０２に記憶されているＡＶコンテンツのリスト５０２上で選択されたＡＶコンテンツの再生の指示を再生/一時停止キー９５の操作によって受け付け、記憶装置１０２に記憶されているＡＶコンテンツのリスト５０２上で選択されたＡＶコンテンツの携帯装置２へのコピーの指示をコピーキー５０１の操作によって受け付ける場合に、選択されたＡＶコンテンツのライセンス条件に従ってＡＶコンテンツのコピー可能回数が制限されている場合には、コンテンツ毎操作制限管理テーブルに選択されたＡＶコンテンツと処理「コピー」とに対応して登録されている残実行可能回数に応じて、コピーキー５０１の表示色を、図５ｂ１-ｂ３のように制御するようにすれば良い。
【００３９】
なお、上述したしきい値Ｔｈが４であるものとして、図５ｂ１は、残実行可能回数が４以上でありコピーキー５０１が標準色で表示されているようすを、図５ｂ２は残実行可能回数が３-１でありコピーキー５０１が残回数注意表示色で表示されているようすを、図５ｂ３は残実行可能回数が０でありコピーキー５０１が操作禁止表示色で表示されているようすを表している。
【００４０】
以上のように本実施形態によれば、キーの照明色や表示色で、当該キーの操作に応じて（実行可能回数の残数がある場合に）実行される処理の実行可能回数の残数が所定レベル以上に残り少なくなっていることや、当該残数が無くなっていることを、ユーザに示せるので、キー以外の専用の表示スペースを必要とすることなしに、当該処理の実行可能回数の残数の状態をユーザに提示するができる。また、キーに割り当てられた処理の実行の有無に依存せずに当該処理の実行可能回数の残数が所定レベル以上に残り少なくなっていることや、当該残数が無くなっていることをユーザに示せるので、当該実行可能回数の制限の状態を、当該実行可能回数を減ずることなくユーザに提示するができる。
【符号の説明】
【００４１】
１…ＡＶ装置、２…携帯装置、３…ＷＡＮ、４…ＡＶコンテンツサーバ、５…インターネットラジオサーバ、７１…表示面、９１…後方スキップキー、９２…前方スキップキー、９３…電源キー、９４…バンドキー、９５…再生/一時停止キー、９６…ファンクションキー、９７…ロータリキー、１０１…チューナ、１０２…記憶装置、１０３…外部装置インタフェース、１０４…ＡＶデコーダ、１０５…制御部、１０６…出力制御部、１０７…表示装置、１０８…スピーカ、１０９…入力装置、１１０…イルミネータ、５０１…コピーキー。
【図１】
0005748116.tif 000002
【図２】
0005748116.tif 000003
【図３】
0005748116.tif 000004
【図４】
0005748116.tif 000005
【図５】
0005748116.tif 000006